(57)【要約】【課題】散水区画に万遍なく散水できるようにする。【手段】散水直近ではほ扇状に散水する扇形ノズル１０、１１を備えた水噴霧ヘッド５であって；前記各扇形ノズルは、ほぼ等しい仰角１９°に配設され、各扇形ノズルが分担する散水区画２５の最遠方隅部２５ａ、２５ｂに対応する方向の放水口２２の位置に増量溝２０を設ける。【選択図】　図５
2004105312.tif 000002
【特許請求の範囲】
【請求項１】
散水直近ではほ扇状に散水する扇形ノズルを、複数備えた水噴霧ヘッドであって；
前記各扇形ノズルは、ほぼ等しい仰角に配設され、
各扇形ノズルが分担する散水区画の最遠方隅部に対応する方向の放水口の位置の幅を、隣の幅よりも部分的に大きく形成したことを特徴とする水噴霧ヘッド。
【請求項２】
放水口は、高さ方向に狭く水平方向に広い細長放水口、又は、高さ方向に狭く水平方向に広い範囲に形成された、連続に近い分布の多数の孔よりなる細長放水口であることを特徴とする請求項１記載の水噴霧ヘッド。
【請求項３】
扇形ノズルの放水口の断面積が、ノズル流路内で最小になるように形成されていることを特徴とする請求項１記載の水噴霧ヘッド。
【請求項４】
エルボ本体に、一対の同一形の扇形ノズルを所定の仰角で設けた水噴霧ヘッドであって；
前記各扇形ノズルの放水口が一定幅のスリットであり、
前記各放水口をほぼ水平にして開き角度を放射角度より小さくし、
前記各扇形ノズルが分担する散水区画の最遠方隅部に対応する方向の放水口の位置に増量溝を形成することを特徴とする水噴霧ヘッド。
【請求項５】
扇形ノズルを備えた水噴霧ヘッドであって；
前記扇形ノズルの流路が、放水口側の円形断面から始まり所定の細長放水口の形状に形成した断面に終わるよう途中の断面図形を順に滑らかに変形させた偏平化流路であり、
前記細長放水口が、該扇形ノズルの流路内で最小断面積であることを特徴とする水噴霧ヘッド。
【請求項６】
細長放水口の形状を、放水口の長手側に放射角度とほぼ等しい角度の円弧に形成した請求項５記載の水噴霧ヘッド。
【請求項７】
偏平化流路の幅を示す稜線の形を内側が凸の円弧とし、
前記偏平化流路の入口において円弧の接線をこの扇形ノズルの軸と平行にし、
放水口において一対の円弧の接線の成す角をこの扇形ノズルの放射角度とほぼ等しい角度に形成したことを特徴とする請求項４記載の水噴霧ヘッド。
【請求項８】
扇形ノズルをロストワックス法で製造し、該扇形ノズルの放水口の幅を３ｍｍ以上としたことを特徴とする請求項５、６、７記載の水噴霧ヘッド。
【請求項９】
扇形ノズルを備えた水噴霧ヘッドであって；
前記扇形ノズルの流路が、給水口側の円形断面から始まり所定の細長放水口の形状に形成した断面に終わるように断面図形を変形させた偏平化流路であり、
前記偏平化流路において、放水口直前を最小断面積にし、最小断面から放水口までの長手の対向壁面を平行面にしたことを特徴とする水噴霧ヘッド。
【請求項１０】
放水口と給水口とを有する扇形ノズルを備えた水噴霧ヘッドであって；
前記給水口側には、断面円形のテーパで絞った給水路を有し、
前記放水口側には、円形断面から始まり一定幅のスリットに形成した断面に終わるよう、途中の断面図形を前記給水口からこの最小断面までの各断面の断面積および厚さが最小断面に近づくに従い小さくなり、各断面の幅が最小断面に近づくに従い大きくなるように形成された偏平化流路を有することを特徴とする水噴霧ノズル。
【請求項１１】
遠方区域の撒布を分担する遠投用ノズルと、近傍の撒布を分担する近投ノズルとを備えていることを特徴とする請求項１，２，３，４，５，６，７，８，９、又は、１０記載の水噴霧ヘッド。
【発明の詳細な説明】
【０００１】
【発明の属する技術分野】
この発明は、消火設備等に用いられる、扇形ノズルを備えた水噴霧ヘッドに関すものであり、さらに述べると、遠方の散水パターンを改善する水噴霧ヘッドに関するものである。
【０００２】
【従来の技術】
従来のトンネルには、消火設備が設けられており、この消火設備には、水噴霧ヘッドが設けられている。この水噴霧ヘッドは、トンネルの一方の側壁に沿って一定間隔に設けられており、各ヘッドには、トンネルの他方の側壁側である遠方区域の散水を分担する遠投用ノズルと、ヘッド近傍区域の散水を分担する近投用ノズルとを備えていて、散水時は全域の散水がほぼ均一になるように設計されている。
近投用ノズルは、広範囲を中実円形に散水するノズル、例えば、中実円錐状に噴射する内ノズルと、それを囲う様にように円環状に散水する外ノズルと、を組み合わせたノズルを用いていた。
【０００３】
そして、遠投用ノズルは、扇形に放水する扇形ノズルを用いていた。この扇形ノズルの放射角度が、例えば、４５°以下程度のノズルの単体の平面の散水パターン（以下、ことわりがなければ「散水パターン」は平面のものを指す）は、ノズル出口直後が一番放射角が広く、遠方に行くに従い次第に帯状に近づくように放射角が狭くなっていき、先端地点の散水パターンは中央が突出したパターンで散布する。
【０００４】
ふたつの扇形ノズルを一つのヘッドに設けると、幅広い散水パターンを有する水噴霧ヘッドを得ることができる。この場合、二つの扇形ノズルのスリット状の放水孔をほぼ水平に仰角を等しくしてヘッドに配し、二つの扇形ノズルの散水パターンが左右に離れないようにして、二つの扇形ノズルの放水方向をそれぞれ右側と左側とに向けて配する（例えば、特許文献１、２参照）。
【０００５】
【特許文献１】
特開平９−１２２５３７号公報
【特許文献２】
特開２００１−２７６２５８号公報
【０００６】
【発明が解決しようとする課題】
トンネルなどに設けられる水噴霧ヘッドは、個々に散水において分担する空間がある。この空間はほぼ直方体で、トンネル壁から建造物や照明、ファンなどを設置する場合、それより内側に突出して建造してはならないとする「建築限界」なる制限があり、この範囲内で自動車は自由に走行できる。
【０００７】
そして、カバーすべき散水範囲はこの建築限界の走行車線側の空間であり、水噴霧ヘッドの個々の分担範囲は、水噴霧の取付ピッチの幅と等しい幅、例えば５ｍで、ヘッドを真ん中にして左右に半々に振り分けた範囲である。
長さは、トンネル幅方向の建築限界の幅、例えば１５ｍであり、高さは建築限界の高さで、例えば４．７ｍである。
この直方体空間すなわち散水区画空間を水噴霧ヘッドでカバーしようとすると、最も遠い隅、すなわち水噴霧ヘッドに対向する辺であって路面上の左右の隅と、その真上の左右の隅が、もっとも散水が困難な部分である。
【０００８】
既存の扇形ノズルで所望の巾と射程の散水パターンを得ようとすると、ふたつの扇形ノズルの間の散水部分が多少角度的に重複することがある。
この重複部分は放水流量が重なるため勢いがつき、射程が伸びてこの方向の散水パターンは顕著に突出する。
【０００９】
ふたつの扇形ノズルの放水パターンが合体した、所謂合成散水パターンは、中央辺りの放水流の勢いから発生する勢いのある風によって、周囲の空気を左右の放水流とともに引き寄せるため、全体に中央寄りとなる。
さらに、合成散水パターンの左右端は（無風状態における放水で相対的な）向い風をまともに受けるので、射程が伸びず早めに脱落する。
【００１０】
従って、ふたつの扇形ノズルの合成散水パターンは、放射直後の扇状の散水パターンから、遠方ではほぼ帯状の散水パターンへと変化し、更に遠方到達点の散水パターンは、両肩が落ち中央が突出した形となっていた。
すなわち、扇状ノズルの遠方における散水パターンの問題は、単体でも組み合わせてもその「両肩」部分がなで肩のように射程が伸びないため、散水区画空間を割り込んでしまう。
【００１１】
このような散水パターンにおいて、最低必要な散水区画がカバーされていなかった場合、方法としては、全体の射程を伸ばすことが考えられるが、それには圧力や流量を増加したりするため、設備が余計に必要となる、という問題がある。
【００１２】
他の方法として、仰角を上げる方法も考えられるが、すでに射程の限界（仰角を上げても下げても射程が落ちる）だったり、仰角を上げるとトンネル壁（天井）などが散水障害になる場合はそれができない。
【００１３】
又、従来の扇形ノズルは、従来普通の鋳造で作られていたが、散水パターンに筋が入っていたためムラがあったり、流量の精度がよく作れなかった。また、狭く粗面の流路と狭い放水口を通って水が放射されるのでエネルギロスがあり、射程が充分に出なかった。
【００１４】
この発明は、遠方の散水区画空間を分担する扇形ノズルの散水パターンが、散水すべき遠方区域の一部の散水が充分でなかったときに、構造の変更で改善することを目的とする。すなわち、散水パターンの散水を増加させ、散水区画全域にわたり完全に散水できるようにすることを目的とする。
【００１５】
【課題を解決するための手段】
この発明は、散水直近ではほ扇状に散水する扇形ノズルを、複数備えた水噴霧ヘッドであって；前記各扇形ノズルは、ほぼ等しい仰角に配設され、各扇形ノズルが分担する散水区画の最遠方隅部に対応する方向の放水口の位置の幅を、隣の幅よりも部分的に大きく形成したことを特徴とする。
【００１６】
この発明の放水口は、高さ方向に狭く水平方向に広い細長放水口、又は、高さ方向に狭く水平方向に広い範囲に形成された、連続に近い分布の多数の孔よりなる細長放水口であることを特徴とする。この発明の扇形ノズルの放水口の断面積は、ノズル流路内で最小になるように形成されていることを特徴とする。
【００１７】
この発明は、エルボ本体に、一対の同一形の扇形ノズルを所定の仰角で設けた水噴霧ヘッドであって；前記各扇形ノズルの放水口が一定幅のスリットであり、前記各放水口をほぼ水平にして開き角度を放射角度より小さくし、前記各扇形ノズルが分担する散水区画の最遠方隅部に対応する方向の放水口の位置に増量溝を形成することを特徴とする。
【００１８】
この発明は、扇形ノズルを備えた水噴霧ヘッドであって；前記扇形ノズルの流路が、放水口側の円形断面から始まり所定の細長放水口の形状に形成した断面に終わるよう途中の断面図形を順に滑らかに変形させた偏平化流路であり、前記細長放水口が、該扇形ノズルの流路内で最小断面積であることを特徴とする。
【００１９】
この発明の細長放水口の形状は、放水口の長手側に放射角度とほぼ等しい角度の円弧に形成されていることを特徴とする。この発明の偏平化流路の幅を示す稜線の形は、内側が凸の円弧とし、前記偏平化流路の入口において円弧の接線をこの扇形ノズルの軸と平行にし、放水口において一対の円弧の接線の成す角をこの扇形ノズルの放射角度とほぼ等しい角度に形成したことを特徴とする。この発明の扇形ノズルは、ロストワックス法で製造され、該扇形ノズルの放水口の幅は、３ｍｍ以上に形成されていることを特徴とする。
【００２０】
この発明は、扇形ノズルを備えた水噴霧ヘッドであって；前記扇形ノズルの流路が、給水口側の円形断面から始まり所定の細長放水口の形状に形成した断面に終わるように断面図形を変形させた偏平化流路であり、前記偏平化流路において、放水口直前を最小断面積にし、最小断面から放水口までの長手の対向壁面を平行面にしたことを特徴とする。
【００２１】
この発明は、放水口と給水口とを有する扇形ノズルを備えた水噴霧ヘッドであって；前記給水口側には、断面円形のテーパで絞った給水路を有し、前記放水口側には、円形断面から始まり一定幅のスリットに形成した断面に終わるよう、途中の断面図形を前記給水口からこの最小断面までの各断面の断面積および厚さが最小断面に近づくに従い小さくなり、各断面の幅が最小断面に近づくに従い大きくなるように形成された偏平化流路を有することを特徴とする。
【００２２】
この発明の水噴霧ヘッドは、遠方区域の撒布を分担する遠投用ノズルと、近傍の撒布を分担する近投ノズルとを備えていることを特徴とする。
【００２３】
【発明の実施の形態】
この発明の実施の形態１を図１〜図８により説明する。
トンネル１の側壁２には、給水配管３が配設されているが、この給水配管３は、図示しない自動弁の二次側に接続された空配管（ドライ配管）である。この給水配管３には、所定間隔、例えば、５ｍ間隔、で水噴霧ヘッド５が設けられている。
【００２４】
給水配管の端末には、エルボ本体７が設けられているが、このエルボ本体７の直径は、給水配管３と同径に形成され、その湾曲部８は、先端７ａに向かって広がるようにしながら次第に緩やかに曲がっており、該先端７ａには、扇形ノズル１０が設けられている。前記扇形ノズル１０の近傍には、該ノズル１０と同形の扇形ノズル１１が設けられているが、前記両ノズル１０，１１は、遠投ノズルを構成している。
【００２５】
扇形ノズル１０は、エルボ本体７に螺着される、給水口１２側のねじ部１３と、該ねじ部１３にフランジ部１４を介して連続する扇状筒体１５と、を備えている。
このねじ部１３の内部には、円錐台状流路１６が形成され、フランジ部１４の内部には、前記流路１６に連続する直筒状流路１７が形成されている。
【００２６】
該筒体１５の内部には、偏平化流路１９が形成されているが、この流路１９は、前記直筒状流路１７と同径の円形断面から始まり、一定幅のスリットに形成した最小断面に終わるよう、途中の断面図形を直筒状流路１７からこの最小断面までの各断面が最小断面に近づくに従い小さくなるように形成されている。
【００２７】
放水口２２は、高さ方向に狭く、水平方向に細長く形成され、その断面積は、偏平流路１９の流路内で最小になるように形成されている。
【００２８】
この偏平化流路１９の一定幅、例えば３．９ｍｍのスリットである放水口２２には、扇形ノズル１０、１１の中心線１０ｃ、１１ｃ方向、あるいは、点線で示すように、放射したい所定の方向２０ｃに、例えば５．５ｍｍ径の丸孔溝２０を、鋳型またはフライス盤などで形成する。この丸孔溝２０は、散水分布の少ない部分に給水するための増水溝であり、この部分は隣の部分の幅よりも部分的に大きい幅に形成されている。この増量溝２０の形状や位置等は、必要に応じて適宜選択される。
【００２９】
放水口２２は、ほぼ水平に設けられ、その放射角度、即ち、扇状放水幅の拡がり角度αは、例えば、３４°に形成されている。この放射角度αは、必要に応じて適宜選択される。
【００３０】
前記両ノズル１０，１１の仰角βは、例えば、１９度であり、両ノズルの軸心１０ｃ、１１ｃは、例えば、２５度で交差している。この開き角度θは、各前記放射角度αより小さい範囲内で、適宜選択することができる。
【００３１】
エルボ本体７には、円形ノズル２７が設けられているが、このノズル２７は水噴霧ノズル５の近傍に散水する近投ノズルを構成する。この近投ノズル２７は、例えば、俯角７３度、放射角度１８０度、に形成されている。
【００３２】
なお、水噴霧ヘッド５の車道２６からの高さＨは、５、７ｍ、該水噴霧ヘッド５の真下から後方建築限界側壁２ａ迄は、２、５ｍ、該水噴霧ヘッド５の真下から前方建築限界壁２ｂ迄は、１２、５ｍ、に形成されている。
【００３３】
次に、本実施の形態の作動について説明する。
自動弁を開くと、一次側の水が給水配管３へ流入し、管端部に向かう。
この時、管端部には、エルボ本体７が設けられているので、前記水は、エルボ本体７でスムーズに流れ方向を変えられながら扇状ノズル１０から放水される。そのため、ウオータハンマが軽減されるとともに、流れを乱されることなく整流状態で噴霧されるので、設計通りの放水パターンを得ることが出来る。
【００３４】
水噴霧ヘッド５の各扇形ノズル１０，１１は、図８の鎖線で示す放水パターン１０ｐ、１１ｐを描くが、このヘッド１０，１１では、増量溝２０を通って強い放水がなされる。
【００３５】
扇形ノズル１０，１１は、放射角度αより小さい開き角度θで交差しているので、両放水パターン１０ｐ、１１ｐは、その隣接辺中央部１０ｂ、１１ｂ近傍で重なり、放水流量が重なって、勢いがつき、射程が伸びる。又、二つの放水パターン１０ｐ、１１ｐは、その中央辺りの放水流の勢いから発生する勢いのある風によって、周囲の空気を左右の放水流とともに引き寄せるため、全体に中央寄りとなる。
【００３６】
そのため、二つの扇形ノズル１０、１１は、放射直後の扇状の散水パターンから、遠方ではほぼ帯状の散水パターンへと変化し、更に遠方到達点の散水パターンは、散水区画２５の隅部２５ａ、２５ｂを完全に通り越した位置から、両肩が落ち中央が突出した形の合成放水パターン２７となる。
【００３７】
この時、放水口２２の増水溝２０からの強い放水によって中央寄りにいく散水の一部が、この溝２０からの放水流に引かれるため、中央の突出が減じられ、且つ不十分な散水区域もカバーするために、全体的に散水区画に近づけた散水パターンが得られる。そのため、散水区画２５は、合成放水パターン２７により完全に覆われるので、万遍なく散水される。
【００３８】
又、放水口２２の断面積が、偏平化流路１９内で最小に形成されているので、放水口２２で流速が減ずることがない。そのため、強い放射がえられるので、射程を長くすることが出来る。
【００３９】
なお、前記各遠投ノズル１０，１１の放水圧は、３．５Ｋｇ／ｃｍ２、水量は１５０Ｌ／分、又、近投ノズル２７の水量は、２００Ｌ／分、である。
【００４０】
この発明の実施の形態２を図９、図１０により説明するが、前記実施の形態１との相違点は、次の通りである。
（１）扇形ノズル３０は、ロストワックス法で製造され、その放水口３２の幅ｔは、３ｍｍ、若しくは、それ以上に形成したこと。
このようにロストワックス法を用いると、扇形ノズル３０の偏平化流路３１の内壁３１ａが滑らかで精度よい放水口寸法が得られるので、散水パターンにムラがなく良好で、流量が正確な扇形ノズルが得られる。また、流路の内壁が滑らかでエネルギのロスが少ないので長射程を得ることができる。
【００４１】
放水口５２の幅ｔが広いので、大きな粒径の散水が得られ、大きな水粒子の慣性力と単位体積当たりの表面積が小さいので、空気抵抗が小さく、更に長射程を得ることができる。３ｍｍの根拠は、落下する水滴は最大で約３ｍｍあり、ノズルの径または幅より大きな粒は、そのノズル３０からは放水されないからである。
【００４２】
放水口３２の幅が広いので、精度よい流量が得られる。また、所定の流量に対して（圧力が指定されているため）放水口面積が決定するので、放水口長さが短くて済み、結果的に小さな扇形ノズルを得ることができる。更に、放水口長さが長くないので、外力を受けたときに放水口が変形して狭まらないようにするための放水口周りの補強肉厚を厚くしなくて済む。
【００４３】
（２）このノズル３０の偏平化流路３１は、入口３４側の円形断面Ｓ１から始まり所定の細長放水口の形状に形成した断面Ｓ２に終わるよう途中の断面図形ａ、ｂ、ｃ、ｄ、を順に滑らかに変形させたこと。
従って、この細長放水口３２が、扇形ノズル３０の偏平化流路３１内で最小断面積であるが、この様にすると、該ノズル３０によって棒状の流れがスムースに板状流れにできるため、散水の乱れが生じなくなり、エネルギのロスがないので、与えられた仰角で最大射程が得られる。又、放水口３２が最小断面Ｓ２なので、エネルギのロスがないため与えられた仰角で最大射程が得られる。
【００４４】
（３）細長の放水口３２の形状を、放水口の長手側に放射角度θとほぼ等しい角度の円弧に形成したこと。
このようにすると、扇形ノズル３０の放射角θが設計通りに得られ、所望の散水パターンが得られる。
【００４５】
（４）前記偏平化流路３１の幅（厚さに対して直角）を示す稜線３５の形を、内側が凸の円弧とし、前記偏平化流路３１の入口３４において円弧Ｒ１の接線３４ａをこの扇形ノズルの軸心３０ｃと平行にし、放水口３２において一対の円弧Ｒ２の接線３２ａの成す角をこの扇形ノズルの放射角度θとほぼ等しい角度に形成したこと。
このようにすると、滑らかな偏平化流路３１を容易に作ることができ、流れが偏平に変えられるときにエネルギロスが少なく、長射程を得ることができる。また、扇形ノズルの放射角が設計通りに得られる。
【００４６】
この発明の実施の形態３を図１１，図１２により説明するが、この形態と前記形態２との相違点は、次の通りである。
（１）扇形ノズル３０の偏平化流路３１において、最小断面積Ｓ２を放水口３２直前にして、最小断面Ｓ２から放水口３２までの長手の対向壁面３８、３８を平行面にしたこと。
【００４７】
このようにすると、製造時放水口において精度良く仕上げることができる。
このノズル３０は、細長の放水口３２なので、流量の精度はその放水口３２の幅の精度に左右されるため、例えば鋳造（精度が悪い）後、放水口を切削加工（精度がよい）で仕上げることができる。
【００４８】
放水口３２の対向壁面３８，３８を平行面にすると、製造仕上げ時に切削などで凸部を除くことができるので、きれいな散水パターンが得られる。
なお、放水口３２は、最小断面積に形成されていないが、その位置が放水口３２の直前（例えば、２〜３ｍｍ程度）なので、エネルギのロスは少なくて済む。
【００４９】
（２）扇形ノズル３０の給水口３４側には、断面円形のテーパで絞った給水路を有し、放水口側には、円形断面から始まり一定幅のスリットに形成した断面に終わるよう、途中の断面図形を給水口からこの最小断面までの各断面の断面積および厚さ（断面において放水口の長手方向と垂直の方向の寸法）が最小断面に近づくに従い小さくなり、各断面の幅（断面において放水口の長手方向と平行の方向の寸法）が最小断面に近づくに従い大きくなるように形成された偏平化流路を有すること。
このようにすることにより、丸棒状の流れを板状の流れに変形する際、より滑らかに変形できるのでエネルギのロスが少なくて済み、その仰角で最大射程を得ることができる。
【００５０】
この発明の実施の形態４を図１３により説明するが、この実施の形態と前記実施の形態１との相違点は、扇形ノズル１０、１１のスリット状の放水口２２に増量溝を形成する代わりに、放水口を台形状に形成し、両者の近接部（内側）２２ｍを狭いスリット巾で、端部（外側）２２ｎを広いスリット巾に形成したことである。
このようにすると、散水パターンの両端の射程が伸びて、遠方の散水パターンにおいて射程を揃えることができ、バランスよくカバーする水噴霧ヘッドが得られる。
また中央の突出を抑えることができる。
【００５１】
この発明の実施の形態５を図１４により説明するが、この実施例と実施の形態１との相違点は、扇形ノズル１０、１１のスリット状の放水口２２に増水溝を形成する代わりに、二つのスリット状放水口を菱形にし、両者の近接部２２ｎを狭いスリット巾で、それぞれの放水口の中央部２２ｐを広いスリット巾に形成したことである。
このようにすると、広いスリット巾２２ｐに対応する遠方の射程が伸びて遠方の散水パターンにおいて射程を揃えることができ、バランスよくカバーする水噴霧ヘッドが得られる。また中央の突出を抑えることができる。
【００５２】
この発明の実施の形態６を図１５により説明するが、この実施の形態と前記実施の形態１との相違点は、扇形ノズル１０、１１の放水口の端面６０が、円弧状に形成されており、該端面６０には、高さ方向に狭く水平方向に広い範囲に形成された連続に近い分布の多数の孔６１が形成されていることである。この孔６０は、大孔６１ａと小孔６１ｂとから構成されているが、この大孔６１ａは、増量溝２０と同様な機能を有する。従って、本実施の形態では、増量溝２０は省略されている。
なお、孔６０、６１の数や位置は、必要に応じて適宜選択される。
物にも適応できる。
【００５３】
本発明の実施の形態は、上記に限定されるものではなく、例えば、次の様にしても良い。
（１）スリット状放水口の増量溝は、複数でも良いが、一つの方が乱れないのでよい。又、前記増量溝は、スリット放水口の上下に形成するのでなく、上または下だけに形成してもよい。溝の形状はいずれでもよい。
【００５４】
（２）ヘッドの形状や遠近ノズルの配置はいかなる形でもよい。たとえば、３つの出口を有するエルボ形のヘッダーであってノズル配置が給水口側から順に、上記実施例では遠近遠であったが、これを近遠遠としたり遠遠近としてもよい。
又、ヘッドをＴ字を横倒しにした形にして、水平部から給水し、分岐した部分は立てて下に近投ノズルを、Ｔ形分岐した上に二つの遠投ノズルを配置するようにしてもよい。こうして、遠投ノズルの仰角設定は、前記水平部配管をトンネルの長手方向に平行に向けておくと、この水平部配管を回転することによって可能となる。
【００５５】
二つの扇形ノズルの成す角を、所定の左右の開き角をもって設定する。このようにすると、高さ方向に長いが、巾方向には狭い水噴霧ヘッドが得られ、たまたまヘッドの横方向の直近にスペースの制限がある場合でも所定の散水パターンを得ることができる。
【００５６】
（３）ひとつの水噴霧ヘッドの扇形ノズルは二つでなく、一つまたは三つ以上水平に並設してもよい。又、扇形ノズルは中投用ノズルとして用いてもよい。
（４）以上に記載の水噴霧ヘッドは、トンネルに限らず、いかなる建造物にも適応できる。
【００５７】
【発明の効果】
この発明は、次の様な顕著な効果を奏する。
（１）各扇形ノズルは、ほぼ等しい仰角に配設され、各扇形ノズルが分担する散水区画の最遠方隅部に対応する方向の放水口の位置の幅を、隣の幅よりも部分的に大きく形成したので、細長放水口の大きく形成された部分を通して強い放水がなされ散水区画内の散水の充分でなかった部分に特定されて散水が補充されるため散水区画をカバーすることができる。
【００５８】
（２）一対の扇形ノズルの放水口が一定幅のスリットであり、前記各放水口をほぼ水平にして開き角度を放射角度より小さくし、前記各扇形ノズルが分担する散水区画の最遠方隅部に対応する方向の放水口の位置に増量溝を形成したので、一定幅のスリットから一様な散水が得られ、開き角度を放射角度より小さくすることから合成散水パターンは中央が突出するが、放水口の溝からの強い放水によって中央寄りにいく散水の一部がこの溝からの放水流に引かれるため、中央の突出が減じられ、且つ不十分な散水区域もカバーするために、全体的に散水区画に近づけた散水パターンをえることができる。
【００５９】
（３）扇形ノズルの流路が、放水口側の円形断面から始まり所定の細長放水口の形状に形成した断面に終わるよう途中の断面図形を順に滑らかに変形させた偏平化流路であり、前記細長放水口が、該扇形ノズルの流路内で最小断面積であるので、扇形ノズルによって棒状の流れがスムースに板状流れにでき、散水の乱れが生じなく、エネルギのロスがないので、与えられた仰角で最大射程が得られる。また、放水口が最小断面なので、エネルギのロスがないため与えられた仰角で最大射程が得られる。
【００６０】
（４）扇形ノズルの流路が、給水口側の円形断面から始まり所定の細長放水口の形状に形成した断面に終わるように断面図形を変形させた偏平化流路であり、該偏平化流路において、放水口直前を最小断面積にし、最小断面から放水口までの長手の対向壁面を平行面にしたので、製造時放水口において精度良く仕上げることができる。
このノズルは、細長の放水口なので、流量の精度は、その放水口の幅の精度に左右されるため、例えば鋳造（精度が悪い）後放水口を切削加工（精度がよい）で仕上げることができる。
【００６１】
放水口の対向壁面を平行面にすると、製造仕上げ時に切削などで凸部を除くことができるので、きれいな散水パターンが得られる。
なお、放水口が最小断面積にしていないが、その位置が放水口の直前（例えば、２〜３ｍｍ程度）なのでエネルギのロスは少なくて済む。
【００６２】
（５）扇形ノズルの給水口側には、断面円形のテーパで絞った給水路を有し、前記放水口側には、円形断面から始まり一定幅のスリットに形成した断面に終わるよう、途中の断面図形を前記給水口からこの最小断面までの各断面の断面積および厚さが最小断面に近づくに従い小さくなり、各断面の幅が最小断面に近づくに従い大きくなるように形成された偏平化流路を有するので、丸棒状の流れを板状の流れに変形する際、より滑らかに変形できるのでエネルギのロスが少なくて済み、その仰角で最大射程を得ることができる。
【図面の簡単な説明】
【図１】本発明の実施の形態１を示す水噴霧ヘッドの正面図である。
【図２】水噴霧ヘッドの側面図である。
【図３】水噴霧ヘッドの平面図である。
【図４】図２の要部拡大図である。
【図５】図４のＶ−Ｖ線断面図である。
【図６】図４のＶＩ−ＶＩ線断面図である。
【図７】水噴霧ヘッドを設置したトンネルの縦断面図である。
【図８】放水パターンと散水区画との関係を示す平面図である。
【図９】本発明の実施の形態２を示す水噴霧ヘッドの縦断面図で、扇形ノズルの偏平化流路の形状を示した図である。
【図１０】水噴霧ヘッドの側面図である。
【図１１】本発明の実施の形態３を示す水噴霧ヘッドの縦断面図で、扇形ノズルの偏平化流路の形状を示した図である。
【図１２】水噴霧ヘッドの側面図である。
【図１３】本発明の実施の形態４を示す水噴霧ヘッドの一対の放水口を示す正面図である。
【図１４】本発明の実施の形態５を示す水噴霧ヘッドの一対の放水口を示す正面図である。
【図１５】本発明の実施の形態６を示す水噴霧ヘッドの斜視図である。
【符号の説明】
５　　水噴霧ヘッド
１０　扇形ノズル
１１　扇形ノズル
１９　偏平化流路
２５　散水区画
２７　合成散水パターン
θ　　開き角度
α　　放射角度
β　　仰角
【図１】
2004105312.tif 000003
【図２】
2004105312.tif 000004
【図３】
2004105312.tif 000005
【図４】
2004105312.tif 000006
【図５】
2004105312.tif 000007
【図６】
2004105312.tif 000008
【図７】
2004105312.tif 000009
【図８】
2004105312.tif 000010
【図９】
2004105312.tif 000011
【図１０】
2004105312.tif 000012
【図１１】
2004105312.tif 000013
【図１２】
2004105312.tif 000014
【図１３】
2004105312.tif 000015
【図１４】
2004105312.tif 000016
【図１５】
2004105312.tif 000017